(57)【要約】【課題】顧客からの問い合わせに対応する受付者と、顧客宅で作業を行う作業担当者との間での情報共有を可能とする顧客対応支援システムを提供する。【解決手段】検索要求に応じて、顧客データ記憶部、設備データ記憶部からデータを取得し、送信するデータ取得手段と、受付データ作成指示に含まれる顧客コードに対応する顧客情報を顧客データ記憶部から取得し、および、取得した顧客情報の郵便番号に対応する作業担当者を作業担当者データ記憶部から取得し、受付データを作成して端末装置に送信する受付データ作成手段と、受付コードが設定されていない受付データを受信することに応じて、受信した受付データに含まれる作業担当者に基づいて、作業担当者データ記憶部からモバイル端末アドレスを取得して、当該取得したモバイル端末アドレスに受付データを配信する受付データ登録手段とを備えた。【選択図】図１
2016162281.tif 000002
【特許請求の範囲】
【請求項１】
顧客からの問い合わせに対応する受付者と、顧客宅で作業を行う作業担当者との間での情報共有を可能とする顧客対応支援システムであって、
顧客コード、顧客名、郵便番号、および住所を含む顧客情報を格納する顧客データ記憶部と、
顧客コード、メーカー、器種、および製造年月を含む設備情報を格納する設備データ記憶部と、
郵便番号、担当営業所、作業担当者、および前記作業担当者が所有するモバイル端末のモバイル端末アドレスを含む作業担当者情報を格納する作業担当者データ記憶部と、
受付コード、顧客コード、顧客名、郵便番号、住所、対応予定日時、担当営業所、作業担当者、および受付メモを含む受付情報を格納する受付データ記憶部と、
受付者が利用する端末装置からの検索要求に応じて、前記顧客データ記憶部、前記設備データ記憶部、または前記受付データ記憶部からデータを取得し、前記端末装置に送信するデータ取得手段と、
前記端末装置から顧客コードを含む受付データ作成指示を受信することに応じて、当該顧客コードに対応する顧客名、郵便番号、住所を前記顧客データ記憶部から取得し、および、前記取得した郵便番号に対応する担当営業所、および作業担当者を前記作業担当者データ記憶部から取得し、受付データを作成して前記端末装置に送信する受付データ作成手段と、
前記端末装置から受付コードが設定されていない受付データを受信することに応じて、受付コードを設定して前記受付データ記憶部に登録し、および前記受信した受付データに含まれる作業担当者に基づいて、前記作業担当者データ記憶部からモバイル端末アドレスを取得して、当該取得したモバイル端末アドレスに前記受付データを配信する受付データ登録手段と、
前記端末装置または前記モバイル端末から受付コードが設定された受付データを受信することに応じて、当該受信した受付データで前記受付データ記憶部を更新する受付データ更新手段であって、端末装置から受付データを受信した場合、前記受付データに含まれる作業担当者に基づいて、前記作業担当者データ記憶部からモバイル端末アドレスを取得して、当該取得したモバイル端末アドレスに前記受付データを配信する、受付データ更新手段と
を備えたことを特徴とするシステム。
【請求項２】
前記端末装置または前記モバイル端末から、受付コード、修理依頼先情報、および請求先情報を含む修理依頼指示を受信することに応じて、前記修理依頼指示に含まれる修理依頼先に、前記受付コードにより特定される受付データと、前記請求先情報とを送信する修理依頼手段をさらに備えたことを特徴とする請求項１に記載のシステム。
【請求項３】
前記顧客データ記憶部は、保証サービスに加入しているか否かを示す保証サービス加入フラグをさらに含む顧客情報を格納し、
前記請求先情報は、前記保証サービス加入フラグおよび前記製造年月に基づいて、顧客、または受付者と作業担当者とが所属する事業者が設定されることを特徴とする請求項２に記載のシステム。
【請求項４】
顧客コード、顧客名、郵便番号、および住所を含む顧客情報を格納する顧客データ記憶部と、顧客コード、メーカー、器種、および製造年月を含む設備情報を格納する設備データ記憶部と、郵便番号、担当営業所、作業担当者、および前記作業担当者が所有するモバイル端末のモバイル端末アドレスを含む作業担当者情報を格納する作業担当者データ記憶部と、受付コード、顧客コード、顧客名、郵便番号、住所、対応予定日時、担当営業所、作業担当者、および受付メモを含む受付情報を格納する受付データ記憶部とを備えた顧客対応支援システムにおいて、
前記顧客対応支援システムのデータ取得手段が、端末装置から顧客検索要求を受信することに応答して、前記顧客データ記憶部から顧客データを取得して送信するステップと、
前記データ取得手段が、設備検索要求を受信することに応答して、前記設備データ記憶部から設備データを取得して送信するステップと、
前記顧客対応支援システムの受付データ作成手段が、前記端末装置から顧客コードを含む受付データ作成指示を受信することに応答して、当該顧客コードに対応する顧客名、郵便番号、住所を前記顧客データ記憶部から取得し、および、前記取得した郵便番号に対応する担当営業所、および作業担当者を前記作業担当者データ記憶部から取得し、受付データを作成して送信するステップと、
前記顧客対応支援システムの受付データ登録手段が、前記端末装置から受付コードが設定されていない受付データを受信することに応答して、受付コードを設定して前記受付データ記憶部に登録するステップと、
前記受付データ登録手段が、前記受信した受付データに含まれる作業担当者に基づいて、前記作業担当者データ記憶部からモバイル端末アドレスを取得して、当該取得したモバイル端末アドレスに前記受付データを配信するステップと、
前記顧客対応支援システムの受付データ更新手段が、前記モバイル端末から受付データを受信することに応答して、当該受信した受付データで前記受付データ記憶部を更新するステップと
を実行することを特徴とする方法。
【請求項５】
前記受付データ更新手段が、前記端末装置から受付コードが設定された受付データを受信することに応答して、当該受信した受付データで前記受付データ記憶部を更新するステップと、
前記受付データ更新手段が、前記受信した受付データに含まれる作業担当者に基づいて、前記作業担当者データ記憶部からモバイル端末アドレスを取得して、当該取得したモバイル端末アドレスに前記受付データを配信するステップと
をさらに実行することを特徴とする請求項４に記載の方法。
【請求項６】
前記顧客対応支援システムの修理依頼手段が、前記端末装置または前記モバイル端末から、受付コード、修理依頼先情報、および請求先情報を含む修理依頼指示を受信することに応答して、前記修理依頼指示に含まれる修理依頼先に、前記受付コードにより特定される受付データと、前記請求先情報とを送信するステップとをさらに実行することを特徴とする請求項４または５に記載の方法。
【請求項７】
前記顧客データ記憶部は、保証サービスに加入しているか否かを示す保証サービス加入フラグをさらに含む顧客情報を格納し、
前記請求先情報は、前記保証サービス加入フラグおよび前記製造年月に基づいて、顧客、または受付者と作業担当者とが所属する事業者が設定されることを特徴とする請求項６に記載の方法。
【請求項８】
請求項４乃至７のいずれかに記載の方法をコンピュータに実行させるためのプログラム。
【発明の詳細な説明】
【技術分野】
【０００１】
本発明は、ガス事業者が顧客に提供するサービスに関して顧客からの問い合わせを受け付けるコールセンター、営業所を支援するシステムに関する。
【背景技術】
【０００２】
ガス事業者は、ガスの供給、ガス器具の販売、ガス器具の修理等のサービスを顧客に提供しており、従来から、これらのサービスに関する顧客からの問い合わせを受け付けるコールセンター（お客様相談室、サービスセンター、ヘルプデスク等も同義）を設置している。
【０００３】
顧客は、ガスの使用開始／中止、使用中のガス器具の買い替え、使用中のガス器具の故障等が発生すると、コールセンターに電話をかけて受付者に問い合わせを伝える。
【０００４】
顧客からの問い合わせを受け付けると、コールセンターでは、受付者が顧客の質問や要望、事実関係を口頭で情報収集し、問い合わせの種類に応じて、当該受付者が回答する、当該受付者から異なる担当部署へ転送する、作業担当者からの折り返しとする等、適切な対応を行う。
【０００５】
特に、ガス器具の故障に関する問い合わせの場合、コールセンターの受付者の回答だけでは問題解決に至らず、作業担当者が顧客宅を訪問することが一般的である。そのため、顧客宅訪問が必要となるケースにおいては、受付者が顧客から訪問希望日時を聞き、顧客宅を訪問する作業担当者を特定し、迅速かつ正確に、収集した情報を作業担当者に伝えるという作業が必要であった。
【０００６】
ところで、現在提供されているガス器具の修理サービスとしては、自社で製造・販売したガス器具に対して、一定期間に渡って保証するのが一般的である。そのため、例えばＡ社からガスの供給を受け、Ｂ社から購入したガス給湯器を使用し、Ｃ社製のガスコンロを通販サイトで購入して使用する顧客は、ガス給湯器についてはＢ社のコールセンターに、ガスコンロについてはＣ社のコールセンターに問い合わせる必要がある。
【０００７】
しかしながら、すべての顧客が正確な問い合わせ先を把握しているわけではなく、ガス給湯器やガスコンロについて、Ａ社のコールセンターに問い合わせを行い、誤った問い合わせ先であるため再度別のコールセンターへの問い合わせが必要となるケースも少なくない。
【先行技術文献】
【特許文献】
【０００８】
【特許文献１】特開平８−２９６８３９号公報
【発明の概要】
【発明が解決しようとする課題】
【０００９】
特許文献１には、ガス器具の修理保守サービスセンターにかかってくる使用者からの修理を依頼する電話に対する応対を支援するためのガス器具の情報をデータベースとして構築し、随時必要な情報を表示装置に表示すること、または出力装置からプリントアウトすることを可能とすることで、受付員のレベルに左右されることなく、迅速かつ的確な対応を可能にする修理コール応対支援システムが開示されている。
【００１０】
しかし、特許文献１に記載の発明では、修理作業員の手配、修理作業員への情報の引継ぎは、受付者が行う必要があり、万が一修理作業員の手配を失念して次の問い合わせの対応にうつってしまった場合、修理作業員への引継ぎで誤った情報を伝達してしまった場合には、取り返しのつかないこととなる。
【００１１】
さらに、受付者が修理作業員に顧客宅訪問の依頼をした後、修理作業員が顧客宅で作業を開始する前に、再度顧客からコールセンターに連絡があった場合に、追加で得た顧客からの情報を修理作業員に間違いなく伝える手段がなかった。
【００１２】
また、修理作業員が顧客宅で修理作業を行った後、再度顧客からコールセンターに連絡があった場合についても、顧客宅で行われた修理作業について受付者は把握することができず、顧客との対応に支障をきたしていた。
【課題を解決するための手段】
【００１３】
上記の課題を解決するために、本発明に係る顧客対応支援システムは、顧客からの問い合わせに対応する受付者と、顧客宅で作業を行う作業担当者との間での情報共有を可能とする顧客対応支援システムであって、顧客コード、顧客名、郵便番号、および住所を含む顧客情報を格納する顧客データ記憶部と、顧客コード、メーカー、器種、および製造年月を含む設備情報を格納する設備データ記憶部と、郵便番号、担当営業所、作業担当者、および前記作業担当者が所有するモバイル端末のモバイル端末アドレスを含む作業担当者情報を格納する作業担当者データ記憶部と、受付コード、顧客コード、顧客名、郵便番号、住所、対応予定日時、担当営業所、作業担当者、および受付メモを含む受付情報を格納する受付データ記憶部と、受付者が利用する端末装置からの検索要求に応じて、前記顧客データ記憶部、前記設備データ記憶部、または前記受付データ記憶部からデータを取得し、前記端末装置に送信するデータ取得手段と、前記端末装置から顧客コードを含む受付データ作成指示を受信することに応じて、当該顧客コードに対応する顧客名、郵便番号、住所を前記顧客データ記憶部から取得し、および、前記取得した郵便番号に対応する担当営業所、および作業担当者を前記作業担当者データ記憶部から取得し、受付データを作成して前記端末装置に送信する受付データ作成手段と、前記端末装置から受付コードが設定されていない受付データを受信することに応じて、受付コードを設定して前記受付データ記憶部に登録し、および前記受信した受付データに含まれる作業担当者に基づいて、前記作業担当者データ記憶部からモバイル端末アドレスを取得して、当該取得したモバイル端末アドレスに前記受付データを配信する受付データ登録手段と、前記端末装置または前記モバイル端末から受付コードが設定された受付データを受信することに応じて、当該受信した受付データで前記受付データ記憶部を更新する受付データ更新手段であって、端末装置から受付データを受信した場合、前記受付データに含まれる作業担当者に基づいて、前記作業担当者データ記憶部からモバイル端末アドレスを取得して、当該取得したモバイル端末アドレスに前記受付データを配信する、受付データ更新手段とを備える。
【発明の効果】
【００１４】
本発明によれば、受付者が顧客からの問い合わせを受け付けた際、対象の顧客データを検索し、問い合わせに応じた受付データを登録することで、対象顧客の問い合わせに対応する作業担当者が自動的に特定され、当該特定された作業担当者のモバイル端末に受付データを送信することができる。
【００１５】
また、本発明によれば、未完了の受付データに対して、受付者／作業担当者双方から更新情報を付加することを可能としたことで、リアルタイムで顧客の状態を把握し、顧客に対応することができる。
【００１６】
さらに、本発明によれば、製造・販売先に関わらず、ガスを供給する需要家が保有するガス器具について、製造後一定期間内に故障した場合については、メーカー保証に準じた保証を行うサービスを提供することで、顧客は今までにない安心感と満足感を得ることができる。
【図面の簡単な説明】
【００１７】
【図１】本発明の一実施形態に係る顧客対応システム構成を示す図である。
【図２】本発明の一実施形態に係る顧客対応支援サーバーの構成を示すブロック図である。
【図３】本発明の一実施形態に係る顧客データ記憶部に格納された情報の一例を示す図である。
【図４】本発明の一実施形態に係る設備データ記憶部に格納された情報の一例を示す図である。
【図５】本発明の一実施形態に係る作業担当者データ記憶部に格納された情報の一例を示す図である。
【図６】本発明の一実施形態に係る受付データ記憶部に格納された情報の一例を示す図である。
【図７】本発明の一実施形態に係る顧客からの問い合わせに受付者／作業担当者が対応する際の処理を示すフローチャートである。
【図８】本発明の一実施形態に係る例示的な新規受付画面を示す図である。
【図９】本発明の一実施形態に係る例示的な作業カレンダー画面を示す図である。
【図１０】本発明の一実施形態に係る例示的な受付データ詳細画面を示す図である。
【図１１】本発明の一実施形態に係る顧客からの再問い合わせに受付者が対応する際の処理を示すフローチャートである。
【図１２】本発明の一実施形態に係る例示的な受付履歴画面を示す図である。
【発明を実施するための形態】
【００１８】
図１は、本発明の一実施形態に係る顧客対応システム構成を示す図である。図１に示すように、ガス事業者のコールセンター１００には、電話交換機（ＰＢＸ）１０１、ＣＴＩサーバー１０２、顧客対応支援サーバー１０３、各受付者の電話機（１１１ａ、１１２ａ、１１３ａ・・・）および各受付者の端末装置（１１１ｂ、１１２ｂ、１１３ｂ、・・・）が設置され、顧客の電話機１１０と電話交換機（ＰＢＸ）１０１とが電話網を介して接続されている。電話機は、固定電話機に限定されず、ＩＰ電話とすることもできる。また、営業所１２０にも、受付者の電話機１２１ａ、および受付者の端末装置１２１ｂが設置され、顧客の電話機１１０と受付者の電話機１２１ａとが電話網を介して接続されている。
【００１９】
電話交換機（ＰＢＸ）１０１は、電話局側からの複数回線分の電話を受付者の電話機に振り分けている。また、電話交換機（ＰＢＸ）１０１は、ＣＴＩサーバー１０２を介して送られる指示に従って、顧客からの呼の接続先を切り替える。たとえば、ある受付者の電話機に接続している呼を、異なる担当部署の電話機に転送するように指示された場合には、この指示に従って顧客からの呼の接続先を切り替える。
【００２０】
受付者は、顧客からの問い合わせを受け付ける。パーソナルコンピュータ等の情報処理するための端末装置（１１１ｂ、１１２ｂ、１１３ｂ、１２１ｂ等）を利用し、端末装置とネットワークで接続された顧客データ記憶部１０４、設備データ記憶部１０５等から情報の検索を行い、問い合わせ内容に応じた受付データを入力して、顧客対応支援サーバー１０３に送信する。
【００２１】
顧客対応支援サーバー１０３は、顧客データ記憶部１０４、設備データ記憶部１０５、作業担当者データ記憶部１０６、および受付データ記憶部１０７を備え、ネットワークを介して、コールセンター１００に設置された各受付者の端末装置（１１１ｂ、１１２ｂ、１１３ｂ、・・・）、および営業所に設置された受付者の端末装置１２１ｂと通信を行うよう構成されている。受付者の端末装置からの要求に応じて、顧客データ記憶部１０４、設備データ記憶部１０５等に格納された情報を提供し、また、受付者の端末装置から送信された受付データを受付データ記憶部１０７に格納する。
【００２２】
顧客対応支援サーバー１０３は、また、ネットワークを介して、各作業担当者のモバイル端末１３０ａ、１３０ｂ、・・・、１３０ｎ（以下、モバイル端末１３０と呼ぶ）と通信を行うよう構成されている。顧客対応支援サーバー１０３は、受付者の端末装置から送信された受付データを、対象顧客の問い合わせに対応する作業担当者のモバイル端末１３０に送信することができる。
【００２３】
モバイル端末１３０は、営業所の各作業担当者が所有する端末である。作業担当者は、モバイル端末１３０に送信された受付データに従って、対象顧客宅に、対応予定日時に訪問する。顧客宅にて対応を行った作業担当者は、モバイル端末１３０を介して受付データを更新して、顧客対応支援サーバー１０３に送信する。
【００２４】
次に、図２のブロック図を参照して、上述した顧客対応支援サーバー１０３の構成を詳細に説明する。なお、図２では、単一のコンピュータシステムを想定し、必要な機能構成だけを示しているが、顧客対応支援サーバー１０３を、複数のコンピュータシステムによる多機能の分散システムの一部として構成することもできる。
【００２５】
顧客対応支援サーバー１０３は、ＣＰＵ２０１に、システムバス２０２を介してＲＡＭ２０３、入力装置２０４、出力装置２０５、通信制御装置２０６および不揮発性記憶媒体（ＲＯＭやＨＤＤなど）で構成される記憶装置２０７が接続された構成を有する。記憶装置２０７は、上記した機能を奏するためのソフトウェアプログラムを格納するプログラム格納領域と、随時取得するデータや処理結果としてのデータなどを格納するデータ格納領域とを備えている。以下に説明するプログラム格納領域の各手段は、実際は独立したソフトウェアプログラム、そのルーチンやコンポーネントなどであり、ＣＰＵ２０１によって記憶装置２０７から呼び出されＲＡＭ２０３のワークエリアに展開されて、データベースなどを適宜参照しながら順次実行されることで、各機能を奏するものである。
【００２６】
データ格納領域は、顧客データ記憶部１０４、設備データ記憶部１０５、作業担当者データ記憶部１０６、および受付データ記憶部１０７を備える。何れも、記憶装置２０７内に確保された一定の記憶領域である。
【００２７】
顧客データ記憶部１０４は、顧客に関する情報を格納する。一実施形態では、顧客データ記憶部１０４には、図３に示されるように、顧客コード、需要家コード、顧客名、郵便番号、住所、電話番号、保証サービス加入フラグが格納される。
【００２８】
顧客コードは、顧客を一意に識別するコードであり、需要家コードは需要家を一意に識別するコードである。顧客コードは、当ガス事業者のすべての顧客に割り当てられるコードであり、需要家コードは、当ガス事業者からガスの供給サービスを受けている顧客のみに割り当てられる。例えば、別のガス事業者からガスの供給サービスを受けているが、当ガス事業者からガス器具を購入したことがある顧客については、顧客コードのみ割り当てられる。
【００２９】
保証サービス加入フラグは、当ガス事業者が提供するガス器具保証サービスに加入しているか否かを示す（未加入の場合は「０」、加入の場合は「１」）。
【００３０】
設備データ記憶部１０５は、顧客宅に設置される設備に関する情報を格納する。一実施形態では、設備データ記憶部１０５には、図４に示されるように、顧客コード、メーカー、器種、製造年月、器具名、および設置場所が格納される。設備データは、顧客が当ガス事業者から器具を購入した際、定期的に行われる保安点検の際、またはコールセンター等への問い合わせの際に、随時登録されるものである。
【００３１】
作業担当者データ記憶部１０６は、作業担当者に関する情報を格納する。一実施形態では、作業担当者データ記憶部１０６には、図５に示されるように、郵便番号、営業所コード、担当営業所、担当者コード、作業担当者、およびモバイル端末アドレスが格納され、郵便番号で識別されるエリアを管轄する営業所、および作業担当者を特定することができる。
【００３２】
モバイル端末アドレスには、受付データの配信先となる作業担当者が所有する端末をネットワーク上で識別する情報が格納される。本実施形態では、エリアを識別する最小単位として郵便番号を用いているが、他の単位（市、区、町など）に一意な識別子を付与して管理することもできる。
【００３３】
受付データ記憶部１０７は、顧客からの問い合わせに関する情報を格納する。一実施形態では、受付データ記憶部１０７には、図６に示されるように、受付コード、受付区分、受付日、受付時刻、受付場所、受付者、顧客コード、需要家コード、顧客名、保証サービス加入フラグ、郵便番号、住所、電話番号、対応予定日、対応予定時刻、営業所コード、担当営業所、担当者コード、作業担当者、受付メモ、更新理由、および状態が格納される。
【００３４】
受付コードは、顧客からの問い合わせを一意に識別するコードである。受付区分には、「器具見積・購入依頼」、「契約プラン相談」、「ガス器具故障」等、問い合わせの分類が格納される。対応予定日、対応予定時刻には、顧客宅訪問が必要なケースにおいて、受付者が顧客から確認した希望訪問日時が格納される。
【００３５】
営業所コード、担当営業所、担当者コード、および作業担当者には、当該問い合わせに対応する営業所、および作業担当者の情報が格納される。本実施形態では、顧客対応支援サーバー１０３が、顧客の郵便番号に基づいて作業担当者データ記憶部１０６を参照して、対応する営業所、および作業担当者を特定する。
【００３６】
受付メモには、受付者が顧客から確認した問い合わせの内容が格納される。また、更新理由は、受付データを受付データ記憶部１０７に登録した後、状況に応じて受付者、または作業担当者が当該受付データを更新する際に用いることができる。状態は、問い合わせの状態を「０：未完了」または「１：完了」で示している。
【００３７】
プログラム格納領域に格納されているソフトウェアプログラムは、本発明に関連するものだけを列挙すると、データ取得手段２０８、受付データ作成手段２０９、受付データ登録手段２１０、受付データ更新手段２１１、および修理依頼手段２１２を備えている。
【００３８】
データ取得手段２０８は、端末装置からの検索要求に応じて、データ格納領域の記憶部から、所定のデータを取得して、端末装置に送信する。まず、データ取得手段２０８は、端末装置から顧客名、住所等を含む顧客検索要求を受信すると、受信した顧客検索要求に基づいて、顧客データ記憶部１０４から顧客データを取得する。また、データ取得手段２０８は、端末装置から顧客コードを含む設備検索要求を受信すると、受信した設備検索要求に基づいて、設備データ記憶部１０５から設備データを取得する。
【００３９】
また、データ取得手段２０８は、顧客コード、受付コード等を含む受付検索要求を受信すると、受信した受付検索要求に基づいて、受付データ記憶部１０７から受付データを取得する。
【００４０】
受付データ作成手段２０９は、端末装置から顧客コードを含む受付データ作成指示を受信すると、まず、受付データ作成指示に含まれる顧客コードに対応する需要家コード、顧客名、保証サービス加入フラグ、郵便番号、住所、電話番号を顧客データ記憶部１０４から取得する。さらに、受付データ作成手段２０９は、顧客の郵便番号に対応する担当営業所、および作業担当者を作業担当者データ記憶部１０６から取得し、受付データを作成して端末装置に送信する。
【００４１】
受付データ登録手段２１０は、端末装置から受付コードが設定されていない受付データを受信すると、受付コードを設定して受付データ記憶部１０７に登録する。さらに、受付データ登録手段２１０は、受付データに含まれる担当者コードに基づいて、作業担当者データ記憶部１０６からモバイル端末アドレスを取得して、取得したモバイル端末アドレスに受付データを配信する。
【００４２】
受付データ更新手段２１１は、端末装置またはモバイル端末１３０から受付コードが設定された受付データを受信すると、受信した受付データで受付データ記憶部１０７を更新する。さらに、受付データ更新手段２１１は、端末装置から受付データを受信した場合、受付データに含まれる担当者コードに基づいて、作業担当者データ記憶部１０６からモバイル端末アドレスを取得して、取得したモバイル端末アドレスに受付データを配信する。
【００４３】
修理依頼手段２１２は、端末装置またはモバイル端末１３０から、受付コード、修理依頼先情報、および請求先情報を含む修理依頼指示を受信すると、修理依頼指示に含まれる修理依頼先に、受付コードにより特定される受付データと、請求先情報とを送信する。修理依頼先情報には、ガス器具の修理を依頼するメーカーの情報（代表メールアドレス、担当者メールアドレス等）が含まれる。請求先情報には、ガス器具の修理に要した費用の請求先となる情報（「０：ガス事業者」、または「１：顧客」）が含まれる。
【００４４】
次に、図７のフローチャートを参照して、顧客からの問い合わせに受付者／作業担当者が対応する際の処理工程を説明する。ガス事業者Ａにおいて、図３に示されるような顧客データ記憶部１０４、図４に示されるような設備データ記憶部１０５、図５に示されるような作業担当者データ記憶部１０６、および図６（ａ）に示されるような受付データ記憶部１０７が事前に登録されているものとする。
【００４５】
また、ガス事業者Ａは、製造・販売先に関わらず、ガスを供給する需要家が保有するガス器具について、製造後１０年以内に故障した場合については、メーカー保証に準じた保証を行うサービスを提供しており、当該ガス器具保証サービスに加入しているか否かが、顧客データ記憶部１０４に格納されているものとする。
【００４６】
ガス事業者Ａの顧客である顧客２が、コールセンターに電話をかけ、電話交換機（ＰＢＸ）１０１が受付者２の電話機１１２ａに着信を通知し、受付者が応答操作（受信ボタンを押す、受話器を上げる等）を行い、通話を開始したものとする。
【００４７】
受付者は、顧客から顧客名、住所等の情報を確認し、Ｓ７０１において、端末装置から顧客対応支援サーバー１０３に、確認した顧客情報を含む顧客検索要求を送信する。Ｓ７０２において、顧客対応支援サーバー１０３のデータ取得手段２０８は、受信した顧客検索要求に基づいて、顧客データ記憶部１０４から顧客データを取得して、端末装置に送信する。
【００４８】
本実施形態では、受付者２が、端末装置１１２ｂから顧客対応支援サーバー１０３に、「顧客名：顧客２」、住所「○県△市」を含む顧客検索要求を送信し、データ取得手段２０８は、図３に示される「顧客コード：22345678」により特定される顧客データを取得して、端末装置１１２ｂに送信する。受付者２は、端末装置１１２ｂに表示された顧客データを参照しながら、顧客への対応を続ける。
【００４９】
受付者は、ガス器具の故障に関する問い合わせであることをヒアリングし、Ｓ７０３において、端末装置から顧客対応支援サーバー１０３に、現在表示されている顧客データに関する設備検索要求を送信する。Ｓ７０４において、データ取得手段２０８は、受信した設備検索要求に基づいて、設備データ記憶部１０５から設備データを取得して、端末装置に送信する。
【００５０】
本実施形態では、端末装置１１２ｂから顧客対応支援サーバー１０３に、「顧客コード：22345678」を含む設備検索要求が送信され、データ取得手段２０８は、図４に示される「顧客コード：22345678」を含む２件の設備データを取得して、端末装置１１２ｂに送信する。受付者２は、端末装置１１２ｂに表示された２件の設備データのうち、顧客の問い合わせに関するガス器具の設備データを選択して参照しながら、顧客への対応を続ける。
【００５１】
受付者が、作業担当者による顧客宅訪問が必要であると判断すると、Ｓ７０５において、端末装置から顧客対応支援サーバー１０３に、顧客コードを含む受付データ作成指示を送信する。Ｓ７０６において、顧客対応支援サーバー１０３の受付データ作成手段２０９は、受付データ作成指示に含まれる顧客コードに対応する需要家コード、顧客名、保証サービス加入フラグ、郵便番号、住所、電話番号を顧客データ記憶部１０４から取得する。さらに、受付データ作成手段２０９は、顧客の郵便番号に対応する営業所コード、担当営業所、担当者コード、および作業担当者を作業担当者データ記憶部１０６から取得し、受付データを作成して端末装置に送信する。
【００５２】
本実施形態では、端末装置１１２ｂから顧客対応支援サーバー１０３に、「顧客コード：22345678」を含む受付データ作成指示が送信され、受付データ作成手段２０９は、「顧客コード：22345678」に対応する顧客情報を顧客データ記憶部１０４から取得し、さらに、顧客の「郵便番号：1234001」に対応する営業所情報（100：大宮営業所）と作業担当者情報（22222：作業担当者２）とを図５に示される作業担当者データ記憶部１０６から取得し、受付データを作成して端末装置１１２ｂに送信する。受付者２の端末装置１１２ｂには、図８に示されるような受付画面が表示されているものとする。なお、受付データの状態には、初期値として「０：未完了」が設定されているものとする。
【００５３】
受付日、受付時刻、受付場所、受付者については、端末装置で保持している情報に基づいて、端末装置が、受付データ作成指示を送信した日付、時刻、端末装置が設置されている場所、現在端末装置にログインしている受付者を自動で設定することができる。
【００５４】
受付者は、顧客からヒアリングした情報に基づいて、受付画面において受付区分、対応予定日、対応予定時刻、および受付メモの入力を行う。ガス器具の故障に関する問い合わせの場合、受付者は、参照している設備データから、メーカー、器種、製造年月、器具名等の情報を受付メモに転記し、併せてガス器具の不具合内容を入力する。
【００５５】
また、担当営業所、および作業担当者については、顧客の郵便番号のエリアを管轄する営業所の作業担当者が設定されているが、例えば担当者が休暇や出張で不在である場合には、受付者は、別の作業担当者を設定することもできる。
【００５６】
Ｓ７０７において、端末装置から顧客対応支援サーバー１０３に、入力が完了した受付データを送信する。Ｓ７０８において、顧客対応支援サーバー１０３の受付データ登録手段２１０は、受信した受付データに受付コードを設定して受付データ記憶部１０７に登録する。さらに、Ｓ７０９において、受付データ登録手段２１０は、受付データに含まれる担当者コードに基づいて、作業担当者データ記憶部１０６からモバイル端末アドレスを取得して、取得したモバイル端末アドレスに受付データを配信する。
【００５７】
本実施形態では、受付データ登録手段２１０は、受付データに「受付コード：20150120-001」を設定して、図６（ｂ）に示される受付データを受付データ記憶部１０７に登録し、さらに、受付データに含まれる「担当者コード：22222」に基づいて、作業担当者データ記憶部１０６から「モバイル端末アドレス：100-22222」を取得して、取得したモバイル端末アドレスに受付データを配信する。
【００５８】
顧客対応支援サーバー１０３から受付データを受信すると、Ｓ７１０において、モバイル端末１３０は、受付データの受信を知らせる通知（アイコンの表示、電子音の出力等）を行う。また、モバイル端末１３０は、図９に示されるような、作業カレンダー画面を用いて受付データを表示する。作業カレンダー画面は、カレンダー部９０１と作業リスト部９０２とで構成されており、カレンダー部９０１には、各日ごとに、対応予定日が当該日である受付データの件数が表示される。作業リスト部９０２には、対応予定日が当日である受付データのリストを表示する直近作業リスト、対応予定日を経過した受付データのリストを表示する経過作業リスト、または、将来の対応予定日である受付データのリストを表示するＴｏＤｏリストが表示される。
【００５９】
本実施形態では、カレンダー部９０１には、１月２０日の受付データの件数として１件が表示され、作業リスト部９０２には、対応予定日が当日である受付データとして顧客２の受付データが表示される。
【００６０】
作業担当者は、表示された受付データを選択して、図１０に示されるような受付データ詳細画面を確認し、顧客宅において作業を行うものとする。
【００６１】
本実施形態では、作業担当者による現場対応の結果、部品故障のためメーカーに修理を依頼する必要があると判断されたものとする。
【００６２】
作業担当者は、受付データ詳細画面から完了ボタンを押下して現場対応の結果を更新理由に入力し、Ｓ７１１において、モバイル端末１３０から、更新された受付データと共に、当該受付データに対する現場対応が完了した旨を示す指示を顧客対応支援サーバー１０３に送信する。
【００６３】
Ｓ７１２において、顧客対応支援サーバー１０３の受付データ更新手段２１１は、モバイル端末１３０から受付データを受信すると、受信した受付データの状態に「１：完了」を設定して受付データ記憶部１０７を更新する。
【００６４】
本実施形態では、受付データ更新手段２１１は、受付データの状態に「１：完了」を設定して、図６（ｃ）に示されるように受付データ記憶部１０７を更新する。
【００６５】
本発明によれば、受付者が顧客からの問い合わせを受け付けた際、受付者は、対象の顧客データを検索し、問い合わせに応じた受付データを登録するだけで、対象顧客の問い合わせに対応する作業担当者が自動的に特定され、当該特定された作業担当者のモバイル端末に受付データを送信することができる。これにより、受付者のミスによる作業担当者の手配、作業担当者への引継ぎにおける事故を大きく軽減することができる。さらに、受付者の作業負担を軽減することで、受付者は、効率的に次の問い合わせに対応することができるようになる。
【００６６】
（受付者による受付データ更新処理）
次に、図１１のフローチャートを参照して、作業担当者が顧客宅で作業を開始する前に、顧客からの再問い合わせに受付者が対応する際の処理を説明する。
【００６７】
本実施形態では、図７のＳ７０９の後、Ｓ７１１の前に、顧客２から再度コールセンターに連絡があり、受付者２が通話を開始したものとする。
【００６８】
受付者は、顧客から顧客名、住所、問い合わせの経緯等の情報を確認し、Ｓ１１０１において、端末装置から顧客対応支援サーバー１０３に、確認した顧客情報、受付日時等を含む受付検索要求を送信する。Ｓ１１０２において、顧客対応支援サーバー１０３のデータ取得手段２０８は、受信した受付検索要求に基づいて、受付データ記憶部１０７から受付データを取得して、端末装置に送信する。
【００６９】
本実施形態では、受付者２が、端末装置１１２ｂから顧客対応支援サーバー１０３に、「顧客名：顧客２」、「受付日：2015/01/20」を含む受付検索要求を送信し、データ取得手段２０８は、図６（ｂ）に示される「受付コード：20150120-001」により特定される受付データを取得して、端末装置１１２ｂに送信する。受付者２の端末装置１１２ｂには、図１２に示されるような受付履歴画面が表示されているものとする。
【００７０】
受付者は、顧客からヒアリングした追加情報に基づいて、受付履歴画面において修正内容または更新内容を入力する。本実施形態では、登録済みの受付データに修正を行う場合、受付者は、図１２に示される受付履歴画面の受付情報修正ボタンを押下して、該当の項目を修正する。新たな情報を受付データに追加する場合、受付者は、図１２に示される受付履歴画面の継続ボタンを押下して、更新理由に新たな情報を入力する。さらに、顧客からヒアリングした結果、ガス器具の故障が改善する等、本問い合わせをクローズする場合、受付者は、図１２に示される受付履歴画面の完了ボタンを押下して、更新理由にその理由を入力する。
【００７１】
Ｓ１１０３において、端末装置から顧客対応支援サーバー１０３に、入力が完了した受付データを送信する。Ｓ１１０４において、顧客対応支援サーバー１０３の受付データ更新手段２１１は、受信した受付データを用いて受付データ記憶部１０７を更新する。さらに、Ｓ１１０５において、受付データ更新手段２１１は、受付データに含まれる担当者コードに基づいて、作業担当者データ記憶部１０６からモバイル端末アドレスを取得して、取得したモバイル端末アドレスに受付データを配信する。
【００７２】
顧客対応支援サーバー１０３から受付データを受信すると、Ｓ１１０６において、モバイル端末１３０は、受付データの受信を知らせる通知（アイコンの表示、電子音の出力等）を行う。また、モバイル端末１３０は、作業カレンダー画面を更新して表示する。
【００７３】
本実施形態では、状態が「０：未完了」の受付データを受信した場合、モバイル端末１３０は、作業カレンダー画面に更新された受付データの内容を表示する。一方、状態が「１：完了」の受付データを受信した場合、モバイル端末１３０は、受信済みの受付データをモバイル端末から削除することにより、カレンダー部９０１に表示されていた受付データの件数から除外する。同様に、モバイル端末１３０は、作業リスト部９０２に表示されていた受付データについても削除する。
【００７４】
（作業担当者によるデータ更新処理）
受付者によるデータ更新処理と同様に、未完了の受付データについては、作業担当者もデータ更新を行うことができる。例えば作業担当者は、図７のＳ７１１の前に、受付データ詳細画面から受付情報修正、または継続ボタンを押下して該当の項目に入力し、モバイル端末１３０から、更新された受付データを顧客対応支援サーバー１０３に送信することができる。更新された受付データを受信すると、顧客対応支援サーバー１０３の受付データ更新手段２１１は、受信した受付データを用いて受付データ記憶部１０７を更新する。
【００７５】
本発明によれば、未完了の受付データに対して、受付者／作業担当者双方から更新情報を付加することを可能としたことで、リアルタイムで顧客の状態を把握し、顧客に対応することができる。顧客は、受付者／作業担当者に重複した情報を伝えるストレスから開放されることとなり、ガス事業者は、顧客満足度を向上させることができる。
【００７６】
（作業担当者による修理依頼処理）
さらに追加の実施形態として、本発明の顧客対応支援サーバー１０３は、登録済みの受付データに基づいて、メーカーに修理依頼要求を送信することができる。
【００７７】
例えば、前述した実施形態のように、作業担当者による現場対応の結果、メーカーに修理を依頼する必要があると判断される場合、Ｓ７１１の前または後に、作業担当者は、受付詳細画面から修理依頼ボタン（図示せず）を押下して修理依頼先情報、および請求先情報を入力し、モバイル端末１３０から、入力された修理依頼先情報、請求先情報（「０：ガス事業者」、または「１：顧客」）、および受付コードを含む修理依頼指示を送信することができる。
【００７８】
本実施形態では、ガス事業者Ａは、製造・販売先に関わらず、ガスを供給する需要家が保有するガス器具について、製造後１０年以内に故障した場合については、メーカー保証に準じた保証を行うサービスを提供しており、顧客２は、当該ガス器具保証サービスに加入している。受付メモの内容から、修理対象のガス器具は、製造後１０年以内である。
【００７９】
そこで、本実施形態では、担当者２は、修理依頼先情報（修理依頼先コード：001）、請求先情報（０：ガス事業者）、および受付コード（20150120-001）を含む修理依頼指示を送信したものとする。
【００８０】
モバイル端末１３０から修理依頼指示を受信すると、顧客支援サーバー１０３の修理依頼手段２１２は、修理依頼指示に含まれる修理依頼先に、受付コードにより特定される受付データと、請求先情報とを送信することができる。
【００８１】
本実施形態では、修理依頼手段２１２は、「修理依頼先コード：001」に基づいてメーカーの代表アドレス等を特定して、特定したアドレスに、「受付コード：20150120-001」により特定される受付データと、請求先情報（０：ガス事業者）を送信する。
【００８２】
顧客支援サーバー１０３から修理依頼データを受信したメーカーでは、修理依頼データに基づいて迅速に修理担当者の手配を行うことができる。また、メーカーは、ガス事業者が提供しているガス器具保証サービスの内容や、顧客のサービス加入状況を都度確認することなく、請求先情報に基づいて、正しい請求先に費用を請求することができる。
【００８３】
本発明によれば、メーカーへの修理依頼についても、少ないステップで正確に処理することができる。製造・販売先に関わらず、「需要家であること」、「製造後一定期間内であること」を要件としたガス器具保証サービスを提供し、当該ガス器具保証サービスの実施の一助となる顧客対応支援サーバーを利用することで、ガス事業者は、顧客に対して今までにない安心感と満足感を提供することができる。
【図１】
2016162281.tif 000003
【図２】
2016162281.tif 000004
【図３】
2016162281.tif 000005
【図４】
2016162281.tif 000006
【図５】
2016162281.tif 000007
【図６】
2016162281.tif 000008
【図７】
2016162281.tif 000009
【図８】
2016162281.tif 000010
【図９】
2016162281.tif 000011
【図１０】
2016162281.tif 000012
【図１１】
2016162281.tif 000013
【図１２】
2016162281.tif 000014
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
顧客からの問い合わせに対応する受付者と、顧客宅で作業を行う作業担当者との間での情報共有を可能とする顧客対応支援システムであって、前記システムは、顧客対応支援サーバ、前記作業担当者が所有するモバイル端末、および受付者が利用する端末装置を備え、
前記顧客対応支援サーバは、
顧客コード、顧客名、郵便番号、および住所を含む顧客情報を格納する顧客データ記憶部と、
顧客コード、メーカー、器種、および製造年月を含む設備情報を格納する設備データ記憶部と、
郵便番号、担当営業所、作業担当者、および前記作業担当者が所有するモバイル端末のモバイル端末アドレスを含む作業担当者情報を格納する作業担当者データ記憶部と、
受付コード、顧客コード、顧客名、郵便番号、住所、対応予定日時、担当営業所、作業担当者、および受付メモを含む受付情報を格納する受付データ記憶部と、
受付者が利用する端末装置からの検索要求に応じて、前記顧客データ記憶部、前記設備データ記憶部、または前記受付データ記憶部からデータを取得し、前記端末装置に送信するデータ取得手段と、
前記端末装置から顧客コードを含む受付データ作成指示を受信することに応じて、当該顧客コードに対応する顧客名、郵便番号、住所を前記顧客データ記憶部から取得し、および、前記取得した郵便番号に対応する担当営業所、および作業担当者を前記作業担当者データ記憶部から取得し、受付データを作成して前記端末装置に送信する受付データ作成手段と、
前記端末装置から受付コードが設定されていない受付データを受信することに応じて、受付コードを設定して前記受付データ記憶部に登録し、および前記受信した受付データに含まれる作業担当者に基づいて、前記作業担当者データ記憶部からモバイル端末アドレスを取得して、当該取得したモバイル端末アドレスに前記受付データを配信する受付データ登録手段と、
前記端末装置または前記モバイル端末から受付コードが設定された受付データを受信することに応じて、当該受信した受付データで前記受付データ記憶部を更新する受付データ更新手段であって、端末装置から受付データを受信した場合、前記受付データに含まれる作業担当者に基づいて、前記作業担当者データ記憶部からモバイル端末アドレスを取得して、当該取得したモバイル端末アドレスに前記受付データを配信する、受付データ更新手段と
を備え、
前記モバイル端末は、
前記配信された受付データを受信し、
前記受付データを受信したことに応答して、前記受付データの受信を知らせる通知を出力し、および
前記受信した受付データを画面に表示し、前記受付データは、前記受付データに含まれる対応予定日時ごとにカレンダー形式で表示される
ように構成されていることを特徴とするシステム。
【請求項２】
前記端末装置または前記モバイル端末から、受付コード、修理依頼先情報、および請求先情報を含む修理依頼指示を受信することに応じて、前記修理依頼指示に含まれる修理依頼先に、前記受付コードにより特定される受付データと、前記請求先情報とを送信する修理依頼手段をさらに備えたことを特徴とする請求項１に記載のシステム。
【請求項３】
前記顧客データ記憶部は、保証サービスに加入しているか否かを示す保証サービス加入フラグをさらに含む顧客情報を格納し、
前記請求先情報は、前記保証サービス加入フラグおよび前記製造年月に基づいて、顧客、または受付者と作業担当者とが所属する事業者が設定されることを特徴とする請求項２に記載のシステム。
【請求項４】
顧客コード、顧客名、郵便番号、および住所を含む顧客情報を格納する顧客データ記憶部と、顧客コード、メーカー、器種、および製造年月を含む設備情報を格納する設備データ記憶部と、郵便番号、担当営業所、作業担当者、および前記作業担当者が所有するモバイル端末のモバイル端末アドレスを含む作業担当者情報を格納する作業担当者データ記憶部と、受付コード、顧客コード、顧客名、郵便番号、住所、対応予定日時、担当営業所、作業担当者、および受付メモを含む受付情報を格納する受付データ記憶部とを備えた顧客対応支援サーバにおいて、
前記顧客対応支援サーバのデータ取得手段が、端末装置から顧客検索要求を受信することに応答して、前記顧客データ記憶部から顧客データを取得して送信するステップと、
前記データ取得手段が、設備検索要求を受信することに応答して、前記設備データ記憶部から設備データを取得して送信するステップと、
前記顧客対応支援サーバの受付データ作成手段が、前記端末装置から顧客コードを含む受付データ作成指示を受信することに応答して、当該顧客コードに対応する顧客名、郵便番号、住所を前記顧客データ記憶部から取得し、および、前記取得した郵便番号に対応する担当営業所、および作業担当者を前記作業担当者データ記憶部から取得し、受付データを作成して送信するステップと、
前記顧客対応支援サーバの受付データ登録手段が、前記端末装置から受付コードが設定されていない受付データを受信することに応答して、受付コードを設定して前記受付データ記憶部に登録するステップと、
前記受付データ登録手段が、前記受信した受付データに含まれる作業担当者に基づいて、前記作業担当者データ記憶部からモバイル端末アドレスを取得して、当該取得したモバイル端末アドレスに前記受付データを配信するステップと、
前記顧客対応支援サーバの受付データ更新手段が、前記モバイル端末から受付データを受信することに応答して、当該受信した受付データで前記受付データ記憶部を更新するステップと
を実行し、
前記モバイル端末において、
前記配信された受付データを受信するステップと、
前記受付データを受信したことに応答して、前記受付データの受信を知らせる通知を出力するステップと、
前記受信した受付データを画面に表示するステップであって、前記受付データは、前記受付データに含まれる対応予定日時ごとにカレンダー形式で表示される、ステップと
を実行することを特徴とする方法。
【請求項５】
前記受付データ更新手段が、前記端末装置から受付コードが設定された受付データを受信することに応答して、当該受信した受付データで前記受付データ記憶部を更新するステップと、
前記受付データ更新手段が、前記受信した受付データに含まれる作業担当者に基づいて、前記作業担当者データ記憶部からモバイル端末アドレスを取得して、当該取得したモバイル端末アドレスに前記受付データを配信するステップと
をさらに実行することを特徴とする請求項４に記載の方法。
【請求項６】
前記顧客対応支援サーバの修理依頼手段が、前記端末装置または前記モバイル端末から、受付コード、修理依頼先情報、および請求先情報を含む修理依頼指示を受信することに応答して、前記修理依頼指示に含まれる修理依頼先に、前記受付コードにより特定される受付データと、前記請求先情報とを送信するステップとをさらに実行することを特徴とする請求項４または５に記載の方法。
【請求項７】
前記顧客データ記憶部は、保証サービスに加入しているか否かを示す保証サービス加入フラグをさらに含む顧客情報を格納し、
前記請求先情報は、前記保証サービス加入フラグおよび前記製造年月に基づいて、顧客、または受付者と作業担当者とが所属する事業者が設定されることを特徴とする請求項６に記載の方法。
【請求項８】
請求項４乃至７のいずれかに記載の方法をコンピュータに実行させるためのプログラム。